(57)【要約】【課題】  表示板の枠体自体を発光するものとし、観者の注目度を高めることができる表示板枠体及び表示板を提供すること。【解決手段】  自己発光する画像表示装置１００の周縁に枠体４０を配置する。枠体４０内に複数個のＲＧＢ一体型発光ダイオード５１を枠体４０の延設方向に沿って配置する。枠材の表側面を前記ＲＧＢ一体型ダイオードから光を外表面から略一様に放射させる表面パネル６０に端縁部６６を設け自己発光する画像表示部の端部を被う。さらに、ＲＧＢ一体型発光ダイオード５１の発光状態を配置位置に応じて変更したり、経時的に変更したりする発光ダイオード駆動手段５２，５２を備えた。【選択図】  図１
2005345934.tif 000002
【特許請求の範囲】
【請求項１】
画像が表示される画像表示部の周縁に設けられた枠体であって、複数個の発光ダイオードを枠体の延設方向に沿って配置した発光部と、前記枠材の表側面を構成し、前記から光を外表面から略一様に放射させる光拡散部材とを備えたことを特徴とする画像表示装置の枠体。
【請求項２】
前記発光ダイオードは、前記ＲＧＢ一体型発光ダイオードであることを特徴とする請求項１の画像表示装置。
【請求項３】
前記ダイオードの発光状態を配置位置によりおよび／または経時的に変更する発光ダイオード駆動手段を備えたことを特徴とする請求項１または２の画像表示装置の枠体。
【請求項４】
前記光拡散部材は前記画像表示部の外縁部を覆い隠すよう前記縁部から内側に向け突出形成されたことを特徴とする請求項１ないし３のいずれかの画像表示装置の枠体。
【請求項５】
前記拡散部材は、微少プリズムを多数形成した１または２枚以上のプリズム板と、光を散乱させる散乱板とを備えることを特徴とする請求項１ないし４の画像表示装置の枠体。
【請求項６】
画像を表示する画像表示部と、請求項１ないし５のいずれかの枠体とを備えたことを特徴とする画像表示装置。
【請求項７】
前記枠材は矩形に表示される画像表示部の少なくとも一辺に配置されていることを特徴とする請求項６の画像表示装置。
【請求項８】
前記画像表示部は、透過性画像シートと、該透過性画像シートの裏側に配置された発光体とを備えたことを特徴とする請求項６または７の画像表示装置。
【請求項９】
前記表示面部は、静止画及び動画の少なくとも一方を表示する自己発光性の画像表示手段を備えることを特徴とする請求項６または７の画像表示装置。
【請求項１０】
請求項６ないし９のいずれかの画像表示装置を前記画像表示面が相対する方向に向くよう２台接合配置して形成したことを特徴とする画像表示装置。
【発明の詳細な説明】
【技術分野】
【０００１】
本発明は、画像表示装置の枠体及び画像表示装置に係り、特に広告画面等を表示する画像表示部の周囲に配置され、自発光する枠体に関する。
【背景技術】
【０００２】
従来から、表示板特に表示された画像を照明する表示板は公知となっている。例えば、特許文献１に開示される表示板は、図１１に示すように枠体１に嵌合装着した本体２に、光入射孔３を設けると共に、前面をハーフミラー部４で閉塞し、後部開口部に内面に写真等の表示シートＡを貼付した蓋状の貼付部５を被冠装着し、表示シートＡを照射するライト部６を備え、ライト７の点灯消滅で画像の現出隠蔽を可能としている。
【特許文献１】特開平０８−０３８３２０号公報
【発明の開示】
【発明が解決しようとする課題】
【０００３】
しかし、上記特許文献１に記載の画像表示装置は、枠体は、自ら発光せず、暗所では画像のみが照明されているだけで、観者の注目を引きにくいものである。
【０００４】
そこで本発明は、表示板の枠体自体を発光するものとし、観者の注目度を高めることができる表示板枠体及び表示板を提供することを目的とする。
【課題を解決するための手段】
【０００５】
本発明の解決しようとする課題は以上の如くであり、次にこの課題を解決するための手段は以下の通りである。
【０００６】
請求項１の発明は、画像が表示される画像表示部の周縁に設けられた枠体であって、複数個の発光ダイオードを枠体の延設方向に沿って配置した発光部と、前記枠材の表側面を構成し、前記から光を外表面から略一様に放射させる光拡散部材とを備えたことを特徴とするものである。
【０００７】
請求項２の発明は、請求項１の画像表示装置において、前記発光ダイオードは、前記ＲＧＢ一体型発光ダイオードであることを特徴とするである。
【０００８】
請求項３の発明は、請求項１または２の画像表示装置の枠体において、前記ダイオードの発光状態を配置位置によりおよび／または経時的に変更する発光ダイオード駆動手段を備えたことを特徴とするのである。
【０００９】
請求項４の発明は、請求項１ないし３のいずれかの画像表示装置の枠体において、前記光拡散部材は前記画像表示部の外縁部を覆い隠すよう前記縁部から内側に向け突出形成されたことを特徴とするものである。
【００１０】
請求項５の発明は、請求項１ないし４の画像表示装置の枠体において、前記拡散部材は、微少プリズムを多数形成した１または２枚以上のプリズム板と、光を散乱させる散乱板とから構成されることを特徴とするものである。
【００１１】
請求項６の発明は、画像表示装置において、画像を表示する画像表示部と、請求項１ないし５のいずれかの枠体とを備えたことを特徴とするものである。
【００１２】
請求項７の発明は、請求項６の画像表示装置において、前記枠材は矩形に表示される画像表示部の少なくとも一辺に配置されていることを特徴とするものである。  
【００１３】
請求項８の発明は、請求項６または７の画像表示装置において、前記画像表示部は、透過性画像シートと、該透過性画像シートの裏側に配置された発光体とを備えたことを特徴とするものである。
【００１４】
請求項９の発明は、請求項６または７の画像表示装置において、前記表示面部は、静止画及び動画の少なくとも一方を表示する自己発光性の画像表示手段を備えることを特徴とするものである。
【００１５】
請求項１０の発明は、請求項６ないし９のいずれかの画像表示装置を画像表示面が相対する方向に向くよう２台接合配置して形成したことを特徴とするものである。
【発明の効果】
【００１６】
本発明によれば、表示板の枠体自体を発光するものとし、観者の注目度を高めることができる。また、画像表示部を自己発光性のものとした場合において、枠体の光拡散部材が画像表示部の端縁を被い、枠体から画像表示部にわたって切れ目なく発光する状態となり、観者の注目を集める。さらに、制御手段により枠体内のＲＧＢ一体型ダイオードの発光状態例えば枠体の発光色を位置により、経時的に変化させればより観者の注目を集める。
【発明を実施するための最良の形態】
【００１７】
次に、発明の実施の形態を説明する。図１は本発明の実施の形態に係る画像表示装置を示す図であり、（ａ）は平面図、（ｂ）は正面図、（ｃ）は側面図、（ｄ）はＡ−Ａ線断面図、（ｅ）はＢ−Ｂ線断面図、図２は図１に示した画像表示装置のＣ部を示す拡大断面図、図３は図１に示した画像表示装置のＤ部を示す拡大断面図、図４は図１に示した画像表意装置の発光ダイオードの駆動系を示すブロック図、図５は図１に示した画像表示装置の全体を示す斜視図である。
【００１８】
本例において画像表示装置１００は、図１に示すように、ケース１０と、画像表示装置である表面パネル２０と、ケース内に収納された光源３０と、前記ケース１０の両側部に形成された枠体４０と、枠体４０内に枠体４０の長手方向に一列に配置された発光ダイオード列５０とから構成されている。
【００１９】
本例において、画像表示装置１００は図１及び図５に示すように、表側からみるとケース１０と、枠体４０とが一体的に形成され、発光しているように見える。ケース１０は、合成樹脂で矩形底面１１と各辺の立ち上がり部１２〜１５及び開口部１６を備えて略ボックス状に形成されている。そして、内部にアルミニウム板製の反射板１７を備えている他、光源３０を備え開口部１６には表面パネル２０が取り付けられている。この立ち上がり部１２〜１５の形状及び反射板１７の形状は、光源３０からの光が均等に照射できるよう適宜変更することができる。
【００２０】
表面パネル２０は、図２に示すように、内部から透明アクリル基板２１，２枚のプリズムシート２２，２３、拡散シート２４、透明アクリル中間パネル２５、表示すべき画像を表示した画像表示フィルム２６、透明アクリル表面パネル２７を重ねた構造としている。
【００２１】
ここで、プリズムシート２２，２３は、一方の面に微細な突条を一方向に沿って連続して形成した透明パネルであって、２枚のプリズムシート２２，２３ではそのプリズムの形成方向を直交させている。なお、このプリズムシートは１枚でもよく、また必要に応じて２枚のプリズムシートはそのプリズム形成方向の角度を設定することができる。
【００２２】
また、拡散シート２４は光を散乱・拡散させる半透明なシートであり、前記２枚のプリズムシート２２，２３と共に光源３０の光で画像表示フィルム２６を均一に照明する。
【００２３】
本例において、画像表示フィルム２６は、透明フィルムに光透過性のインクあるいは非透過性のインクで広告、写真、ポスターなど表示すべき画像、文字を表したものである。また、光源３０は４本の冷陰極管（ＣＣＬＦ）３１〜３４が平行に配列され、光源電源３５で駆動されてなる。
【００２４】
枠体４０は、図３に示すように、前記ケース１０の立ち上がり部１２から外側に一体に突出形成された枠体基部４１と、発光ダイオード列５０を取り付ける取付部４８と反射板４９とを兼ねた反射板部４２と、表面パネル６０を備える。前記反射板部４２は、アルミニウム板材を折り曲げて形成して形成される。この枠体基部４１の形状及び反射板部４２の形状は、発光ダイオード列５０からの光が表面パネル６０を均等に照射できるよう適宜変更することができる。
【００２５】
また、表面パネル６０は、前記基部内部から透明アクリル基板６１、２枚のプリズムシート６２，６３、拡散シート６４、透明アクリル表面パネル６５を重ねた構造とし、表面パネル２０から画像表示装置１００の裏面にかけて湾曲した形状となっている他、表面パネル６０の表面パネル２０側の端縁部６６が表面パネル２０の端縁を覆い隠すように張り出して形成されている。
【００２６】
本例ではプリズムシート４４，４５及び拡散シート４６とは、表面パネル２０のプリズムシート２２，２３及び拡散シート２４と同様の構成を備える。このような構成により、発光ダイオード列５０が発光したとき表面パネル６０は内部の発光ダイオード列５０の姿が透けて見えることなく表面パネル６０の端縁部６６まで均等に発光するように見える。
【００２７】
このため、表面パネル２０が発光状態で、枠体４０も発光状態のとき、光が放出されない暗い部分は発生せず発光状態に断絶感がなく、観者に一体感があるという印象を与える。
【００２８】
また、発光ダイオード列５０は片側各８個のＲＧＢ一体型発光ダイオード５１−１〜５１−８から構成されており、発光ダイオード駆動手段で駆動される。本例では、この発光ダイオード駆動手段として、図４に示すように、各ＲＧＢ一体型発光ダイオードの各Ｒ，Ｇ，Ｂの発光ユニットを独立して駆動するＬＥＤドライバ５２と、このＬＥＤドライバ５２に発光状態を指示する設定入力装置５３とを備える。このように構成された本例では、ＲＧＢ一体型発光ダイオード５１−１〜５１−８は、予め設定入力装置５３に入力された設定により、あるいは自動的にその発光色が配置位置に応じて、あるいは経時的に変化して発光される。
【００２９】
例えば、ＲＧＢ一体型発光ダイオード５１−１〜５１−８のＲＧＢの発光出力を変更することにより様々な色を表示させることができる。この状態で、枠体４０をＲ（赤）、Ｇ（緑）、Ｂ（青）が表示する単色の他、各色の発光ダイオードの発光状態を制御することにより白色、中間色を自由に表示することができる。
【００３０】
また、左右の枠体４０で発光色を異なるものとしたり、発光ダイオード列５０の５１−１〜５１−８の発色状態を変化させることにより、枠体４０に上下方向にグラデーションを与えたりすることができる。
【００３１】
さらに、時間の経過と共にＲＧＢ一体型発光ダイオード５１−１〜５１−８の色や色の配置、グラデーションの状態を変更することができる。
【００３２】
次に、本例に係る画像表示装置１００の配置例について説明する。上述した画像表示装置１００は、枠体４０を画像表示部の側部に形成している。これに対して、図６に示すように枠体を画像表示部の上下に並べて画像表示装置２００を形成することができ、この画像表示装置２００を複数並べて全体として文字図形等を表示するようにできる。
【００３３】
また、図７に示すように上述した画像表示装置１００を縦に並べ、壁に取付金具１１０で取り付けることができる。
【００３４】
さらに、図８（ａ）に示すように、画像表示装置１００に脚部１２０と設置台１３０とを取り付け、自立形とすることができる。同様に画像表示装置２００に脚部２１０設置台２２０を取り付け、自立形とすることができる。（ｃ）に示すように天井から画像表示装置１００を吊り下げ金具１４０で吊り下げることができる。
【００３５】
さらに、本発明では、図９に示すように、画像表示装置３００を画像表示装置１００を背面で接合する形式とし脚部３１０及び設置台３２０を設け、表裏両側から表示画像を観察することができるようにすることができる。
【００３６】
なお、上記各例では、透過性画像シートと、該透過性画像シートの裏側に配置された発光体とで画像を発光するものとして説明したが、画像表示は自ら発光しないものであってもよい。また、表示面部は、静止画または動画を表示する自己発光性の画像表示手段、例えば液晶表示装置、プラズマ表示装置、有機ＥＬ表示装置とすることができる。
【００３７】
さらに、本例では、画像表示部を矩形として、その上下あるいは左右に枠材を設けた例を示したが、矩形の画像表示部の４辺に枠材を設けるようにしてもよい。さらに、画像表示装置の形状は他の形状、例えば菱形、他の多角形、円、曲線で囲まれた形状等任意のものとすることができ、その周縁に枠材を配置することができる。
【００３８】
また、発光ダイオードは８個を一列に並べて発光ダイオード列を形成したが、発光ダイオードは８個に限られず、また配置も列状に限られない。さらに、本例では、光源としてＲＧＢ一体発光ダイオードを使用したが、これは必要に応じて変更でき、単色あるいは白色の発光ダイオードを使用することができる。
【図面の簡単な説明】
【００３９】
【図１】本発明の実施の形態に係る画像表示装置を示す図であり、（ａ）は平面図、（ｂ）は正面図、（ｃ）は側面図、（ｄ）はＡ−Ａ線断面図、（ｅ）はＢ−Ｂ線断面図である。
【図２】図１に示した画像表示装置の一部拡大断面図である。
【図３】図１に示した画像表示装置の一部拡大断面図である。
【図４】図１に示した画像表意装置の発光ダイオードの駆動系を示すブロック図である。
【図５】図１に示した画像表示装置の全体を示す斜視図である。
【図６】本発明の画像表示装置を並列に配置した状態を示す図である。
【図７】本発明の画像表示装置を縦列に配置した状態を示すである。
【図８】本発明の画像表示装置を使用する看板の例を示す図である。
【図９】他の実施例に係る画像表示装置を使用する看板の他の例を示す図である。
【図１０】従来に係る画像表示装置を示す断面図である。
【符号の説明】
【００４０】
１０  ケース
１１  矩形底面
１２〜１５  立ち上がり部
１６  開口部
１７  反射板
２０  表面パネル
２１  透明アクリル基板
２２，２３  プリズムシート
２４  拡散シート
２５  透明アクリル中間パネル
２６  画像表示フィルム
２７  透明アクリル表面パネル
３０  光源
３１〜３４  冷陰極管（ＣＣＬＦ）
３５  光源電源
４０  枠体
４１  枠体基部
４２  反射板部
４４，４５  プリズムシート
４６  拡散シート
４８  取付部
４９  反射板
５０  発光ダイオード列
５１  ＲＧＢ一体型発光ダイオード
５２  ＬＥＤドライバ
５３  設定入力装置
６０  表面パネル
６１  透明アクリル基板
６２，６３  プリズムシート
６４  拡散シート
６５  透明アクリル表面パネル
６６  表面パネル２０側端縁部
１００  画像表示装置
１１０  取付金具
１２０  脚部
１３０  設置台
１４０  吊り下げ金具
２００  画像表示装置
２２０  脚部
２１０  設置台
３００  画像表示装置
３１０  脚部
３２０  設置台
【図１】
2005345934.tif 000003
【図２】
2005345934.tif 000004
【図３】
2005345934.tif 000005
【図４】
2005345934.tif 000006
【図５】
2005345934.tif 000007
【図６】
2005345934.tif 000008
【図７】
2005345934.tif 000009
【図８】
2005345934.tif 000010
【図９】
2005345934.tif 000011
【図１０】
2005345934.tif 000012